(57)【要約】【課題】  プラグ及びリセプタクルの電気的導通を確保しつつ、低背化及び実装面積の低減を実現することができるプラグコネクタ、プラグコンタクトを提供する。【解決手段】  リセプタクルコネクタに嵌合することにより、リセプタクルコネクタのリセプタクルコンタクトにプラグコンタクトを接触させて電気的導通をとるプラグコネクタであって、プラグコンタクトは、電線が圧入、圧接される略Ｕ字形状のスロット部を備える圧接部と、圧接部を含んで電線の延出方向と直交する面において、圧接部に対して、プラグコネクタの挿抜方向及び電線の延出方向に略直交する方向に配置され、圧接部と電気的に導通し、プラグコネクタとリセプタクルコネクタが嵌合したときにリセプタクルコネクタに設けられたリセプタクルコンタクトと電気的に導通する接触部と、を備える。【選択図】  図２
2006172738.tif 000002
【特許請求の範囲】
【請求項１】
リセプタクルコネクタに嵌合することにより、リセプタクルコネクタのリセプタクルコンタクトにプラグコンタクトを接触させて電気的導通をとるプラグコネクタであって、
前記プラグコンタクトは、
電線が圧入、圧接される略Ｕ字形状のスロット部を備える圧接部と、
前記圧接部を含んで前記電線の延出方向と直交する面において、前記圧接部に対して、前記プラグコネクタの挿抜方向及び前記電線の延出方向に略直交する方向に配置され、前記圧接部と電気的に導通し、前記プラグコネクタと前記リセプタクルコネクタが嵌合したときに前記リセプタクルコネクタに設けられたリセプタクルコンタクトと電気的に導通する接触部と、
を備えることを特徴とするプラグコネクタ。
【請求項２】
前記接触部は前記電線の延出方向と直交する接触面を備える請求項１記載のプラグコネクタ。
【請求項３】
前記スロット部内に圧入、圧接されたとき、前記電線は、前記接触部と並設されている請求項１又は請求項２記載のプラグコネクタ。
【請求項４】
前記圧接部及び前記接触部は、ともに板状部材からなり、同一平面内に配置されている請求項１〜３のいずれか１項記載のプラグコネクタ。
【請求項５】
前記圧接部には、前記電線を前記スロット部へ導くために、前記圧接部の先端から離れるほど閉じていき、前記スロット部へ連設される略Ｖ字形状の誘い込み部が設けられている請求項１〜４のいずれか１項記載のプラグコネクタ。
【請求項６】
前記誘い込み部は、前記スロット部への連設部分において、前記プラグコネクタの挿抜方向及び前記電線の延出方向に略直交する方向に延出する請求項５記載のプラグコネクタ。
【請求項７】
前記プラグコンタクトには、プラグインシュレータ内に挿入されたときに、前記プラグインシュレータの内壁に係止される係止部が側面に設けられている請求項１〜６のいずれか１項記載のプラグコネクタ。
【請求項８】
前記プラグコンタクトには、プラグインシュレータ内に挿入されたときに、前記プラグインシュレータに設けられた挿通孔から前記プラグコネクタ抜去方向に延出する固定用タブが設けられている請求項１〜７のいずれか１項記載のプラグコネクタ。
【請求項９】
リセプタクルコネクタに嵌合することにより電気的導通をとるプラグコネクタ用のプラグコンタクトであって、
電線が圧入、圧接される略Ｕ字形状のスロット部を備える圧接部と、
前記圧接部と並設され、前記圧接部と電気的に導通し、前記プラグコネクタと前記リセプタクルコネクタが嵌合したときに前記リセプタクルコネクタに設けられたリセプタクルコンタクトと電気的に導通する接触部と、
を有することを特徴とするプラグコンタクト。
【請求項１０】
リセプタクルコネクタに嵌合することにより電気的導通をとるプラグコネクタ用のプラグコンタクトであって、
電線が圧入圧接される略Ｕ字形状のスロット部を備える圧接部と、
前記プラグコネクタの挿抜方向に沿って前記圧接部と互いに平行に配置され、前記圧接部と電気的に導通した接触部と、
を有することを特徴とするプラグコンタクト。
【請求項１１】
リセプタクルコネクタに嵌合することにより、リセプタクルコネクタのリセプタクルコンタクトにプラグコンタクトの接触部を接触させて電気的導通をとるプラグコネクタの組立方法であって、
電線をプラグコネクタのプラグインシュレータ内に挿入する工程と、
前記プラグコンタクトを前記プラグインシュレータに挿入することにより、前記プラグコンタクトの圧接部に設けられた略Ｕ字形状のスロット部に前記電線を圧入、圧接するとともに、前記圧接部と電気的に導通する前記接触部を、前記圧接部を含んで前記電線の延出方向と直交する面において、前記圧接部に対して、前記プラグコネクタの挿抜方向及び前記電線の延出方向に略直交する方向に配置する工程と、
を備えることを特徴とするプラグコネクタの組立方法。
【発明の詳細な説明】
【技術分野】
【０００１】
本発明は、回路基板上に実装されるコネクタに用いられるプラグコネクタ、プラグコンタクト、及びプラグコネクタの組立方法に関する。
【背景技術】
【０００２】
携帯電話、ＰＤＡ（Personal Digital Assistant）、その他の情報携帯端末においては、リフローに対応できない部品（例えばスピーカー、マイク、バイブレーションモータ）が存在しており、このような部品と回路基板との接続のために、以下のような、電線を用いたコネクタが使用されていた（特許文献１、特許文献２）。
【０００３】
すなわち、従来のコネクタ（特許文献１、特許文献２）は、回路基板に実装されるリセプタクルにプラグを嵌合するものであって、プラグコンタクトの一端に形成したＵ字状部分に圧入、圧接することにより電線の被覆を除去してプラグと導通させるとともに、プラグコンタクトの他端をリセプタクルコンタクトに嵌合することにより、電線、プラグ、及びリセプタクルの導通を図っていた。つまり、電線の一方に上述のような組み込み等の後工程を必要とする電子部品をはんだ付け等で接続するとともに、他端を圧接（ＩＤＣ：Ｉｎｓｕｌａｔｉｏｎ  Ｄｉｓｐｌａｃｅｍｅｎｔ  Ｃｏｎｔａｃｔ  ともいう）等の結線技術により接続したプラグを、回路基板に実装したリセプタクルに嵌合することにより部品と回路基板との導通を得ていた。
【０００４】
また、電線を結線するプラグコンタクトの一端にＵ字状部分が形成されており、Ｕ字状部分に電線を圧入圧接することにより、電線の被覆の一部が剥離して電線の導体とプラグコンタクトが接触し導通を得ることができる。プラグコンタクトの他端にはリセプタクルコンタクトと接触する接続部が形成されている。
【特許文献１】特開２００４−１７８９６０号公報
【特許文献２】特開２００４−５５４８５号公報
【発明の開示】
【発明が解決しようとする課題】
【０００５】
しかしながら、特許文献１記載のコネクタでは、プラグの挿抜方向に延びるプラグコンタクトの両端にＵ字状部分及びリセプタクルコンタクトへの嵌合部分を設けた構成となっており、コネクタの低背化のためにＵ字状部分を短くすると、電線の被覆を十分に剥離することができなくなるとともに、電線がＵ字状部分の入口付近に留まってしまうことにより電気的導通が不安定となる可能性があるという問題があった。
【０００６】
また、特許文献２記載のコネクタでは、低背化を実現するために、プラグコンタクトに曲げ加工を施すことによりＵ字状部分の横に（電線と平行になるように）嵌合部分を形成した構成となっている。しかし、この構成では、もう一つの市場要求である実装面積を低減することができなくなるとともに、プラグコンタクトと接触するリセプタクルコンタクトが露出する構造となることから座屈や変形を生じやすいという問題があった。
【０００７】
さらに、この構成の場合、一つの嵌合部分をリセプタクルコンタクトで挟持して接触させる構造とすることができず、電線に外力が加わったときに嵌合しているプラグとリセプタクルのがたつきにより、接触抵抗等が変動したり不安定になったりするという問題もあった。
【課題を解決するための手段】
【０００８】
上記課題を解決するために、本発明のプラグコネクタは、リセプタクルコネクタに嵌合することにより、リセプタクルコネクタのリセプタクルコンタクトにプラグコンタクトを接触させて電気的導通をとるプラグコネクタであって、プラグコンタクトは、電線が圧入、圧接される略Ｕ字形状のスロット部を備える圧接部と、圧接部を含んで電線の延出方向と直交する面において、圧接部に対して、プラグコネクタの挿抜方向及び電線の延出方向に略直交する方向に配置され、圧接部と電気的に導通し、プラグコネクタとリセプタクルコネクタが嵌合したときにリセプタクルコネクタに設けられたリセプタクルコンタクトと電気的に導通する接触部と、を備えることを特徴としている。
【０００９】
本発明のプラグコンタクトは、リセプタクルコネクタに嵌合することにより電気的導通をとるプラグコネクタ用のプラグコンタクトであって、電線が圧入、圧接される略Ｕ字形状のスロット部を備える圧接部と、圧接部と並設され、圧接部と電気的に導通し、プラグコネクタとリセプタクルコネクタが嵌合したときにリセプタクルコネクタに設けられたリセプタクルコンタクトと電気的に導通する接触部と、を有することを特徴としている。
【００１０】
また、本発明のプラグコンタクトは、リセプタクルコネクタに嵌合することにより電気的導通をとるプラグコネクタ用のプラグコンタクトであって、電線が圧入圧接される略Ｕ字形状のスロット部を備える圧接部と、プラグコネクタの挿抜方向に沿って圧接部と互いに平行に配置され、圧接部と電気的に導通した接触部と、を有することを特徴としている。
【００１１】
さらに、本発明のプラグコネクタの組立方法は、リセプタクルコネクタに嵌合することにより、リセプタクルコネクタのリセプタクルコンタクトにプラグコンタクトの接触部を接触させて電気的導通をとるプラグコネクタの製造方法であって、電線をプラグコネクタのプラグインシュレータ内に挿入する工程と、プラグコンタクトをプラグインシュレータに挿入することにより、プラグコンタクトの圧接部に設けられた略Ｕ字形状のスロット部に電線を圧入、圧接するとともに、圧接部と電気的に導通する接触部を、圧接部を含んで電線の延出方向と直交する面において、圧接部に対して、プラグコネクタの挿抜方向及び電線の延出方向に略直交する方向に配置する工程と、を備えることを特徴としている。
【００１２】
上記接触部は電線の延出方向と直交する接触面を備えるとよい。
【００１３】
上記スロット部内に圧入、圧接されたとき、前記電線は、前記接触部と並設されていることが好ましい。
【００１４】
上記圧接部及び接触部を、ともに板状部材とし、同一平面内に配置するとよい。
【００１５】
上記圧接部には、電線をスロット部へ導くために、圧接部の先端から離れるほど閉じていき、スロット部へ連設される略Ｖ字形状の誘い込み部が設けられていることが好ましい。
【００１６】
上記誘い込み部は、スロット部への連設部分において、プラグコネクタの挿抜方向及び電線の延出方向に略直交する方向に延出しているとよい。
【００１７】
上記プラグコンタクトには、プラグインシュレータ内に挿入されたときに、プラグインシュレータの内壁に係止される係止部が側面に設けられていることが好ましい。
【００１８】
上記プラグコンタクトには、プラグインシュレータ内に挿入されたときに、プラグインシュレータに設けられた挿通孔からプラグコネクタ抜去方向に延出する固定用タブが設けられているとなおよい。
【発明の効果】
【００１９】
本発明によると、電線を圧接するスロット部と、リセプタクルコンタクトと導通する接触部と、がプラグの挿抜方向に沿った一直線上に配置されておらず、プラグの挿抜方向に沿って並設されている。これにより、低背化に伴い短縮傾向にあるスロット部の長さを確保できるとともに、スロット部と接触部とを繋げる連結部を小さくできることから、挿抜方向の投影面積を極めて小さくすることができる。すなわち、コネクタの電気的信頼を維持しつつ、低背化と実装面積の低減との両立を実現できる。
【００２０】
さらに、圧接部に設けた誘い込み部が、スロット部への連設部分において、プラグの挿抜方向及び電線の延出方向に略直交する方向に延出する構成となっているため、電線の被覆をより確実に剥離することができるとともに、スロット部の長さをさらに長くすることができる。つまり、低背化されても優れた圧接が可能となり、電気的信頼性に優れたコネクタを提供できる。
【発明を実施するための最良の形態】
【００２１】
以下、本発明にかかる実施形態を図面を参照しつつ詳しく説明する。本実施形態のコネクタは、図１に示すように、回路基板（基板）（不図示）に固定されるリセプタクル（リセプタクルコネクタ）４１と、このリセプタクル４１に嵌合されるプラグ（プラグコネクタ）１１と、を有する。プラグ１１は、回路基板上の回路により所定の動作を実現する部品に接続される２本の電線６１、６２が圧入、圧接されるプラグコンタクト１３を備えている。プラグ１１を、リセプタクル４１に嵌合すると、プラグコンタクト１３は、リセプタクル４１に備えられたリセプタクルコンタクト４３内に挿入され、弾性的に保持される。これにより、電線６１及び電線６２が、それぞれプラグコンタクト１３、及びリセプタクルコンタクト４３と電気的に導通する。ここで、プラグ１１は、図１の上下方向に移動することにより、リセプタクル４１に対して挿抜（挿入、抜去）される。さらに、プラグ１１とリセプタクル４１との嵌合状態を保持するためにロック機構を備えている。
【００２２】
（１）プラグ１１（図２）
プラグ１１は、絶縁材で形成されたインシュレータ（プラグインシュレータ）１２と、鉛直方向（図２の矢印ＩＩＡで示す方向）（プラグ１１の挿抜方向）に沿ってインシュレータ１２に圧入される２個のプラグコンタクト１３と、を備えている。インシュレータ１２は、電線６１、６２を挿入する貫通孔部１４を備えており、電線６１、６２は、水平方向（図２の矢印ＩＩＢで示す方向）（電線の延出方向）に沿ってインシュレータ１２に挿入される。貫通孔部１４の上側の内壁には下方に突出した電線押さえ部１２ｂが形成されている（図２（ｃ））。なお、本実施形態では、インシュレータ１２に挿入する電線を２本としたが、１本、又は３本以上の場合にも本発明を適用できる。
【００２３】
プラグコンタクト１３は、図２（ｂ）に示すように、プラグ１１の挿抜方向に沿って互いに平行に並設された、板状の圧接部１３１と接触部１３２とを備える。なお、圧接部１３１と接触部１３２を平行に配置せずに、接触部１３２を、圧接部１３１の少なくとも一部を含んで電線６１、６２の延出方向と直交する面において、圧接部１３１に対して、プラグコネクタ１１の挿抜方向及び電線６１、６２の延出方向に略直交する方向（インシュレータ１２の長手方向）に配置してもよい。
【００２４】
圧接部１３１は、電線６１、６２が圧入、圧接される略Ｕ字形状のスロット部１３１ａと、電線６１、６２をスロット部１３１ａへ導くために、圧接部１３１の先端から離れるほど閉じ、スロット部１３１ａに連設される略Ｖ字形状の誘い込み部１３１ｂと、を備えている。スロット部１３１ａは、電線６１、６２の延出方向と直交する面に沿って配置されている。スロット部１３１ａと誘い込み部１３１ｂとの連設部１３１ｃは、プラグ１１の挿抜方向及び電線６１、６２の延出方向に略直交する方向に延出している。
【００２５】
スロット部１３１ａの間隙１３１ｇは連設部１３１ｃまで等間隔で形成されるのが好ましい。さらに、スロット部１３１ａは、圧入、圧接される電線６１、６２の被覆を剥離しやすくするために、誘い込み部１３１ｂ側に曲面を形成しておくことが好ましい。
【００２６】
また、圧接部１３１の接触部１３２から遠い側の側面１３１ｄの下端には、外方へ突出する第１係止部１３１ｄ１が形成され、圧接部１３１の接触部１３２側の側面１３１ｅには、接触部１３２側へ突出する第２係止部１３１ｅ１が形成されている。プラグコンタクト１３をインシュレータ１２内に圧入すると、インシュレータ１２内に設けた２つの凹部（不図示）に第１係止部１３１ｄ１及び第２係止部１３１ｅ１がそれぞれ嵌合して、プラグコンタクト１３の鉛直方向位置が規定される。また、誘い込み部１３１ｂやスロット部１３１ａは、電線の被覆が剥離しやすくするために、板厚方向につぶしを施してテーパ状にしてもよい。
【００２７】
接触部１３２は、鉛直方向下方で、圧接部１３１と電気的に導通するように連結部１３ａにより連結された略四角形板状部材である。この接触部１３２は、電線６１、６２の延出方向と直交する接触面１３２Ｓを備え、プラグ１１とリセプタクル４１とが嵌合したときにリセプタクル４１に設けられたリセプタクルコンタクト４３と嵌合して電気的に導通する。なお、接触面１３２Ｓは平面、曲面のいずれも採用できる。
【００２８】
したがって、接触部１３２と圧接部１３１とが同一平面で形成されている場合、連結部１３ａも同一平面で形成することができるので、曲げ等の加工が必要でなく、精度良く容易かつ小さくすることができる。また、接触部１３２と圧接部１３１が平行でオフセットされている場合においても、連結部１３ａが大きくなることを抑止できる。
【００２９】
図２（ｃ）に示すように、インシュレータ１２の貫通孔部１４に電線６１、６２を挿通した状態で、プラグコンタクト１３をインシュレータ１２に圧入すると、圧接部１３１が、インシュレータ１２に穿設されたプラグコンタクト挿入部１２ａに圧入される。このとき、電線６１、６２は、電線押さえ部１２ｂにより下方に押さえられつつ、誘い込み部１３１ｂによりスロット部１３１ａに導かれる。さらに、プラグコンタクト１３を圧入すると、スロット部１３１ａ及び誘い込み部１３１ｂからの圧接により、電線６１、６２の被覆が剥離され、その内部の複数の芯線から成る導体がスロット部１３１ａの対向する内壁で構成される間隙１３１ｇ内に圧入され、所定位置（圧接位置）に配置される。この圧接位置は、プラグ１１の挿抜方向において、接触面１３２Ｓと同じ高さにあり、電線６１、６２は接触部１３２と並設された位置にある。このとき、電線押さえ部１２ｂが存在することで、電線６１，６２が圧入方向（上方向）へ逃げることがなく、良好な圧接状態である電線の導体をスロット部１３１ａの中央付近にすることができる。ここで、連設部１３１ｃを設けたことにより、電線の被覆がより剥離しやすくなるとともに、コネクタの低背化のためにスロット部１３１ａの鉛直方向長さを短くしたとしても、低背化により短くなったスロット部の長さを補うことができる。また、電線押さえ部１２ｂの断面形状を、上方に行くほど広がる略三角形状の断面形状として、誘い込み部１３１ｂの形状、位置に対応させるのがよい。具体的には誘い込み部１３１ｂと電線押さえ部１２ｂとが近いほどよい。しかし、構造上、誘い込み部１３１ｂのスロット部１３１ａ近傍は空間が生じてしまうことから電線が圧接しきれず溜まりやすくなる。よって連設部１３１ｃを形成することで空間を減少させることができ、連設部１３１ｃと電線押さえ部１２ｂとを極めて近づけることができるので、電線６１、６２をより確実にスロット部１３１ａ内に圧入、圧接して良好な圧接状態とすることができる。
【００３０】
インシュレータ１２は、成形性及び強度（靭性）の観点から、ナイロンを用いた射出成形により形成することが好ましい。特に、圧接状態を外部から確認できるという点では透明ナイロンが好ましく、例えばグリルアミド（商標）を用いることができる。また、梱包や組立の都合上多重に連結された状態（以下多連状という）で成形するとよい。
【００３１】
プラグコンタクト１３は、基材として、例えば、ばね弾性を備えた銅合金（例えばリン青銅、ベリリウム銅、チタン銅）やコルソン系銅合金を用いることができ、圧接部１３１及び接触部１３２を板厚０．０８〜０．３ｍｍ（０．２５ｍｍ程度とすると良好な圧接状態や接触信頼性を得やすい）の同一平面の板状に形成することが好ましい。基材は、順送金型（スタンピング）により成形し、ニッケルめっきで下地を形成した後に、金めっきを行うとよい。
【００３２】
プラグ１１の組立工程を２極のコネクタを例に説明する。
多連状のプラグインシュレータの貫通孔部１４に、適宜設定した長さの電線（初期電線）を仕様の電線長（プラグインシュレータ１２の挿入側端面から電線の終端までの距離）になるように挿入し位置決めする。そのとき、電線の挿入側をプラグインシュレータ１２の他方の端面から突出するようにする。次に左右対称、かつプラグインシュレータ１２の極間距離と同じピッチでキャリアに配置されるようにスタンピング成形された２つのプラグコンタクト１３をキャリアから切断・保持し、プラグインシュレータ１２に圧入圧接する。次に突出した電線を所定の突出量となるように切断する。この切断工程により、初期電線の長さのばらつきを吸収することができ、作業性、寸法安定性を向上させることができる。
【００３３】
以上の一連の作業を多連状のプラグインシュレータで行うことで、小型化された製品においても、搬送、梱包、管理が容易となるとともに、組立機、治具で精度良く効率的に生産することができる。
最後に、多連状の組立品を個々に切断することでプラグ１１の完成品となる。
【００３４】
（２）リセプタクル４１（図３）
リセプタクル４１は、絶縁材で形成された略直方体形状のインシュレータ（リセプタクルインシュレータ）４２と、プラグ１１の挿抜方向と直交する横方向からインシュレータ４２に圧入される、２個のリセプタクルコンタクト４３を備えている。
【００３５】
この構成により、リセプタクルコンタクト４３をインシュレータ４２で囲う構造とすることができ、リセプタクルコンタクト４３がプラグ１１側に露出することがない。すなわち、プラグ１１を嵌合するとき、リセプタクルコンタクト４３を座屈、変形させることを防止できる。さらに、プラグコンタクト１３の接触部１３２が挿入される溝が嵌合方向にも形成されていることから、プラグ１１を斜めに挿入したときにも挿入途中のプラグ１１の姿勢を矯正する効果を得ることができ、リセプタクルコンタクト４３の保護をより確実なものとすることができる。
【００３６】
インシュレータ４２の短手方向（図３（ａ）のＩＩＩＢ方向）の両側面４２ａ、４２ｂは、インシュレータ４２の長手方向中央が、電線逃げ部４２ａ１、４２ｂ１としてそれぞれ凹設されている。
また、インシュレータ４２の底面部４３ｃは平面状に形成されており、リセプタクル４１を回路基板に自動実装するときの吸着面と機能し、平面は１ｍｍ角以上形成されていることがこのましい。
【００３７】
リセプタクルコンタクト４３は、折り曲げ加工により形成した本体部４３ａ、接触ばね部４３ｂ、及びテール部４３ｅを備える。本体部４３ａは、インシュレータ４２の長手方向に沿って対向して配置された２枚の板状部材からなる。接触ばね部４３ｂは、本体部４３ａの間においてインシュレータ４２の長手方向に沿って、対向して延びる２枚の長板状部材の先端側を、いったん下方に湾曲させた後に上方に折り返すことにより、上方に開く形状を形成したものである。２つの接触ばね部４３ｂの間には、プラグ１１をリセプタクル４１に嵌合したときに、接触ばね部４３ｂのばね弾性を利用して接触部１３２が圧入されるような所定の間隙４３ｃが設けられている。接触ばね部４３ｂはその後端側で連設され、さらに、本体部４３ａ及びテール部４３ｅに接続されている。テール部４３ｅは、リセプタクルコンタクト４３をリセプタクル４２に圧入したときに、インシュレータ４２の長手方向（図３（ａ）のＩＩＩＡ方向）の側面からインシュレータ４２の長手方向に露出し、回路基板にはんだ付けされる。
【００３８】
接触ばね部４３ｂの先端には、対向する２つの接触ばね部４３ｂに接近するように突出した屈曲部４３ｄが設けられている。この屈曲部４３ｄを設けると、プラグコンタクト１３の接触部１３２の誘い込みを良好にすることができるとともに、接触ばね部４３ｂの弾性により接触部１３２を強く挟持することができる。さらに、接点を集中荷重とすることができるとともに、挟み込む構造の２点となるため、嵌合途中の異物除去効果や、嵌合後の振動、衝撃、外力に対する接触信頼性を向上させることができる。つまり、プラグコンタクト１３とリセプタクルコンタクト４３との電気的導通を確実にとることができる。
【００３９】
インシュレータ４２は、耐熱樹脂（例えば、ナイロン、液晶ポリマー、ポリフェニレンサルファイド）を用いた射出成形により形成することが好ましい。
【００４０】
リセプタクルコンタクト４３は、基材として、例えば、ばね弾性を備えた銅合金（例えばリン青銅、ベリリウム銅、チタン銅）やコルソン系銅合金を用いることができ、均一な板厚（例えば０．１ｍｍ）とすることが好ましい。基材は、順送金型（スタンピング）により成形し、ニッケルめっきで下地を形成した後に、金めっきを行うとよい。
【００４１】
プラグ１１をリセプタクル４１に嵌合したときは、圧接部１３１は上方からインシュレータ４２の内部に挿入されて、圧接部１３１に挿通された電線６１、６２は電線逃げ部４２ａ１、４２ｂ１からインシュレータ４２の短手方向に延出する状態となる。
【００４２】
また、プラグインシュレータ１１の外側面には外方へ突出するプラグ突起部１２ｃが設けられ、リセプタクルインシュレータ４２の内側面のうち、プラグ突起部１２ｃに対応する位置には、内方に突出するリセプタクル突起部４２ｃが形成されており、プラグ１１とリセプタクル４１の嵌合状態で、両者が互いに嵌まり込むことでロックとして機能する。また、嵌合途中では、リセプタクル突起部４２ｃをプラグ突起部１２ｃが乗り越えることで、嵌合作業の完了を音や感触で認識することが可能となるとともに、嵌合不良を目視や作業の感覚で判断できる。
【００４３】
以下に変形例について説明する。
コネクタの低背化の要請に応えるべく各部材の高さや板厚を抑えることとなるが、インシュレータ１２の長手方向に長く延出し、かつ、プラグ１１の抜去時やコネクタのハンドリング時に把持されることの多い、インシュレータ１２の長手方向両端部１２１の板厚を薄くすると、プラグ１１の抜去時やコネクタのハンドリング時にこの部分が折れてしまうおそれがある。そこで、図４（ａ）に示すように、接触部１３２の上面１３２ａに上方に延びる２枚の固定用タブ１３２ｂを設けるとともに、端部１２１において、プラグコンタクト１３をインシュレータ１２に圧入したときに、固定用タブ１３２ｂに対応する位置に固定タブ挿通孔（挿通孔）１２１ａ及び固定タブ挿通孔１２１ａと連通する開口部１２１ｂを設け、固定用タブ１３２ｂを固定タブ挿通孔１２１ａに挿入後に、図４（ｂ）（矢印）、図４（ｃ）に示すように、端部１２１内で折り曲げることにより端部１２１をプラグコンタクト１３に固定すると、端部１２１の強度を補強することができる。この例では、固定用タブ１３２ｂを２枚設けたが、１枚であってもよいし、３枚以上とすると固定の信頼性が高まるため好ましい。
また、固定用タブ１３２ｂは曲げ加工することから、生産性向上のためつぶし加工等で接触部１３２の板厚より薄くしても構わない。
【００４４】
図４に示す例では、固定タブ挿通孔１２１ａから延出した部分の固定用タブ１３２ｂを水平方向に沿って折り曲げたが、図５（ａ）に示すように、上面１３２ａに設けられた基部１３２ｃに端部が接続された固定用タブ１３２ｄを設けてもよい。この例では、図５（ｂ）に示すように、固定タブ挿通孔１２１ａに挿入後に、この固定用タブ１３２ｄを開口部１２１ｂ内で基部１３２ｃを中心にしてひねることにより、端部１２１をプラグコンタクト１３に固定して、端部１２１の強度を補強する。
【００４５】
さらに、固定用タブ１３２ｂ、基部１３２や固定用タブ１３２ｄが挿入または折り曲げられた開口部１２１ｂ内に、接着剤や樹脂等をポッティング（塗布）後硬化させることで固定をより強固にしてもよい。
【００４６】
本発明について上記実施形態を参照しつつ説明したが、本発明は上記実施形態に限定されるものではなく、改良の目的または本発明の思想の範囲内において改良または変更が可能である。
【図面の簡単な説明】
【００４７】
【図１】本発明の実施形態に係るコネクタの外観を示す斜視図である。
【図２】（ａ）は本発明に係る実施形態のプラグの分解斜視図、（ｂ）はプラグコンタクトの構成を示す斜視図、（ｃ）はプラグ組立時の状態を示す縦断面図である。
【図３】（ａ）は本発明に係る実施形態のリセプタクルの分解斜視図、（ｂ）はリセプタクルコンタクトの平面図、（ｃ）はリセプタクルコンタクトをインシュレータの長手方向から見た側面図、（ｄ）はプラグおよびリセプタクルの嵌合状態を示す縦断面図である。
【図４】（ａ）は本発明に係る実施形態の変形例の構成を示す一部断面図、（ｂ）は（ａ）の線ＩＶＢ−ＩＶＢに沿った断面図、（ｃ）は（ａ）を上方から見たときの斜視図である。
【図５】（ａ）は本発明に係る実施形態の変形例の構成を示す一部断面図、（ｂ）は（ａ）を上方から見たときの斜視図である。
【符号の説明】
【００４８】
１１      プラグ（プラグコネクタ）
１２      インシュレータ
１３      プラグコンタクト
４１      リセプタクル（リセプタクルコネクタ）
４２      インシュレータ
４３      リセプタクルコンタクト
４３ａ    本体部
４３ｂ    接触ばね部
４３ｃ    間隙
４３ｄ    屈曲部
４３ｅ    テール部
６１      電線
６２      電線
１３１    圧接部
１３１ａ  スロット部
１３１ｂ  誘い込み部
１３１ｃ  連設部
１３２    接触部
【図１】
2006172738.tif 000003
【図２】
2006172738.tif 000004
【図３】
2006172738.tif 000005
【図４】
2006172738.tif 000006
【図５】
2006172738.tif 000007